(57)【要約】【課題】  デバイス一覧表示画面において、管理者が入力したＵＲＬやフォルダパスなどのアクセス情報を表示する際、アクセス情報が長いと、列の幅が広がり、一覧表として参照しづらいものになってしまう。【解決手段】  デバイス一覧表示画面においてＵＲＬ情報をリンクとして含むアイコンを他のデバイス情報と並べて表示することで、列の幅が広がらず、より効率的にデバイス一覧表示画面を参照することが可能になる。【選択図】  図４
2020187450.tif 000002
【特許請求の範囲】
【請求項１】
ネットワークを介して接続されている複数のデバイスを管理するとともに、デバイス毎の情報をデバイス一覧表示画面に表示させる管理装置１０１であって、
前記管理装置１０１は、前記デバイス一覧表示画面を表示する手段（画面制御部３０１）と、前記デバイス毎の情報を各デバイスに対応付けて記憶する手段（データ保管部３０４）を有し、
前記一覧表示手段（画面制御部３０１）は、前記記憶手段（データ保管部３０４）から各デバイスに対応付けたＵＲＬ情報を読み出し、前記ＵＲＬ情報を持つデバイスの表示列にアイコンを表示することを特徴とし、
前記アイコンは、マウスポインタを合わせることでツールチップを表示する機能を具備し、
前記アイコンは、クリックによって前記ＵＲＬ情報に基づくリンク先へアクセスする機能を具備することを特徴とする管理装置。
【請求項２】
前記記憶手段（データ保管部３０４）は、デバイス毎の情報にデバイスの機種名を含み、
前記一覧表示手段（画面制御部３０１）は、デバイスの機種毎に表示するアイコンを変更できることを特徴とする請求項１に記載の管理装置。
【請求項３】
前記一覧表示手段（画面制御部３０１）は、前記ＵＲＬ情報に含まれるＵＲＬスキーム毎に表示するアイコンを変更できることを特徴とする請求項１に記載の管理装置。
【請求項４】
前記一覧表示手段（画面制御部３０１）は、前記リンク先にアクセスする際、リンク先が見つからない状態を検出するとともに、リンク先が見つからない場合に、表示するアイコンを変更できることを特徴とする請求項１に記載の管理装置。
【請求項５】
前記一覧表示手段（画面制御部３０１）は、前記ＵＲＬ情報を前記記憶手段（データ保管部３０４）に入力するＵＲＬ設定画面を表示する機能を有し、前記リンク先にアクセスする際、リンク先が見つからない状態を検出するとともに、リンク先が見つからない場合に、前記アイコンのクリックによって前記ＵＲＬ情報の設定画面に遷移することを特徴とする請求項１に記載の管理装置。
【発明の詳細な説明】
【技術分野】
【０００１】
本発明は、デバイス管理システムにおけるデバイス一覧表示方法に関する。
【背景技術】
【０００２】
プリンタやカメラ、スキャナ、複合機などのネットワークデバイスを、ネットワークを介して管理するためのシステムが存在する。
【０００３】
このようなデバイス管理システムでは、管理サーバが複数のデバイスから取得した状態情報や、管理者がデバイスごとに入力した管理情報を画面上に一覧表示する形態が多い。その例として、デバイスの状態を示すアイコンの一覧画面を表示し、アイコンの一つがクリックされると、アイコンに対応するデバイスのＵＲＬへリンクし詳細情報を表示するシステムが提案されている（特許文献１）。
【０００４】
一方で、デバイスのＷｅｂマニュアルや共有フォルダなどのデバイス管理システム外部へのアクセス情報を管理し、画面に表示されたアクセス情報をクリックすることで、アクセス先へ画面遷移するシステムが存在する。
【先行技術文献】
【特許文献】
【０００５】
【特許文献１】特開２００３−９９２２６号公報
【発明の概要】
【発明が解決しようとする課題】
【０００６】
しかし、デバイス一覧表示画面において、管理者が入力したＵＲＬやフォルダパスなどのアクセス情報を表示する際、アクセス情報が長いと、列の幅が広がり、一覧表として参照しづらいものになってしまう。
【０００７】
そこで、本発明では、デバイス管理システムにおいて、管理者が入力したアクセス情報を、デバイス一覧表示画面で表示する際、より効率的に参照するためのデバイス一覧表示方法を提供することを目的とする。
【課題を解決するための手段】
【０００８】
上記の目的を達成するために、本発明に係る管理装置は、
ネットワークを介して接続されている複数のデバイスを管理するとともに、デバイス毎の情報をデバイス一覧表示画面に表示させる管理装置であって、
前記管理装置は、前記デバイス一覧表示画面を表示する手段と、前記デバイス毎の情報を各デバイスに対応付けて記憶する手段を有し、
前記一覧表示手段は、前記記憶手段から各デバイスに対応付けたＵＲＬ情報を読み出し、前記ＵＲＬ情報を持つデバイスの表示列にアイコンを表示することを特徴とし、
前記アイコンは、マウスポインタを合わせることでツールチップを表示する機能を具備し、
前記アイコンは、クリックによって前記ＵＲＬ情報に基づくリンク先へアクセスする機能を具備することを特徴とする。
【発明の効果】
【０００９】
本発明に係る管理装置によれば、デバイス一覧表示画面においてＵＲＬ情報をリンクとして含むアイコンを他のデバイス情報と並べて表示することで、列の幅が広がらず、より効率的にデバイス一覧表示画面を参照することが可能になる。
【図面の簡単な説明】
【００１０】
【図１】本発明の実施形態を示すシステムの全体図
【図２】本発明における管理装置１０１の内部構成の一例を示すブロック図
【図３】本発明におけるシステム全体の機能構成の一例を示すブロック図
【図４】実施例１におけるデバイス一覧表示画面の一例
【図５】実施例１におけるデバイス一覧表示動作処理の一例を示すフローチャート図
【図６】実施例１におけるデバイス情報が登録されているテーブルの一例
【図７】実施例１におけるデバイス一覧表示画面の操作処理の一例を示すフローチャート図
【図８】実施例２におけるデバイス一覧表示動作処理の一例を示すフローチャート図
【図９】実施例２におけるアイコン情報が登録されているテーブルの一例
【図１０】実施例３におけるデバイス一覧表示画面の操作処理の一例を示すフローチャート図
【発明を実施するための形態】
【００１１】
以下、本発明を実施するための形態について、図面を参照しながら説明する。
【実施例１】
【００１２】
本発明の一実施形態について図面を参照しながら説明する。
【００１３】
＜システム構成＞
図１は、本発明の実施形態を示すシステムの全体図である。本実施形態のシステムは、デバイス管理システムであり、管理装置と、一台以上のデバイスからなるシステムである。
【００１４】
図１において、管理装置１０１は、通信回線１０３を経由してデバイス１０２を管理するものであり、デバイス１０２からの情報の取得と、デバイス１０２に対する情報の書き込みを行う。デバイス１０２は、ＬＢＰやＭＦＰ（複合機）等の印刷装置である。
【００１５】
＜管理装置の内部構成＞
図２は、管理装置１０１の内部構成の一例を示すブロック図である。
【００１６】
管理装置１０１は、通信Ｉ／Ｆ部２０１と、記憶装置２０２、ＣＰＵ２０３、メモリ２０４、入力Ｉ／Ｆ部２０５、出力Ｉ／Ｆ部２０６からなる。
【００１７】
通信Ｉ／Ｆ部２０１は、外部のシステムや装置と通信を行うためのネットワークインターフェースである。記憶装置２０２は、ＯＳ（Operating System）やプログラム、管理データ、外部システムや装置等から収集したデータ等が格納されている。ＣＰＵ２０３は、記憶装置２０２からプログラムをメモリ２０４にロードし、実行する。入力Ｉ／Ｆ部２０５は、キーボードなどの入力装置を接続し、入力された結果を取得する。出力Ｉ／Ｆ部２０６は、ディスプレイなどの出力装置を接続し、プログラムなどの実行結果を出力する。
【００１８】
＜システム全体の機能構成＞
図３は、本実施例におけるシステム全体の機能構成の一例を示すブロック図である。
【００１９】
管理装置１０１における画面制御部３０１は、データ保管部３０４から取り出した情報を基に画面を生成し、出力Ｉ／Ｆ部２０６を経由して出力装置に表示し、入力Ｉ／Ｆ部２０５を経由して入力装置からの入力情報をデータ保管部３０４に保管する。
【００２０】
タスク制御部３０２は、画面制御部３０１によって生成されるタスク設定画面及びそのほかの設定手段により設定されたタスクの制御を行う。ここでいうタスクとは、管理対象となるデバイスの選択と、選択されたデバイスに対してどのような処理を行うか、その処理をいつ行うかの実行日時を指定し、指定した実行日時に従ってデバイスに対する処理を実行することである。また、タスク制御部３０２は定期的にデータ保管部３０４を参照し、実行予定日時を過ぎたタスクの実行の制御を行う。
【００２１】
送受信部３０３は、管理装置１０１とデバイス１０２との情報の送受信のためのプロトコルの生成及びその送受信の制御を行う。データ保管部３０４は、入力装置からの入力情報やタスク情報、管理対象デバイス情報等、各種データの管理を記憶装置２０２上で行う。
【００２２】
また、画面制御部３０１は、Ｗｅｂサーバとしての機能を有し、情報端末装置に搭載されたＷｅｂブラウザの要求に応じて通信回線１０３を経由して情報を送受信することで画面を制御してもよい。
【００２３】
デバイス１０２におけるタスクサービス部３０５は管理装置１０１からのタスク実行を受信し、制御を行う。また、その結果を管理装置１０１に対してレスポンスする。
【００２４】
＜デバイス一覧表示画面の一例＞
図４は、デバイス一覧表示画面の一例である。
【００２５】
デバイス一覧表示画面は、管理装置１０１における画面制御部３０１が生成する画面の一つとして存在する。画面制御部３０１は、データ保管部３０４から取り出したデバイス毎の情報を基に一覧表を生成し、画面に表示する。４０１〜４０５は、デバイス一覧表において該当する列に表示するタイトル行である。列４０５では、デバイスがＵＲＬ情報を持つ場合、アイコン４０６を表示する。アイコン４０６をクリックすることで、ＵＲＬ先へ画面を遷移する。４０７は、アイコン４０６にマウスポインタを合わせることで表示するツールチップである。
【００２６】
＜実施例１におけるデバイス一覧表示動作処理＞
図５は、本実施例におけるデバイス一覧表示動作処理の一例を示すフローチャート図である。
【００２７】
画面制御部３０１は、入力Ｉ／Ｆ部２０５を経由してデバイス一覧表示画面を表示する指示を受け付けると、ステップＳ５０１に移行する。
【００２８】
ステップＳ５０１において、画面制御部３０１はデータ保管部３０４を参照し、表示するデバイスの情報を取得する。
【００２９】
ステップＳ５０２において、画面制御部３０１は表示するデバイスの情報を一行に並べて表示する。
【００３０】
ステップＳ５０３において、画面制御部３０１が表示するデバイスの情報にＵＲＬ情報を含む場合には、ステップＳ５０４に移行し、表示するデバイスの情報にＵＲＬ情報を含まない場合には、ステップＳ５０５に移行する。
【００３１】
ステップＳ５０４において、画面制御部３０１はステップＳ５０２において一行に並べて表示した箇所に合わせ、アイコンを表示する列にアイコンを表示する。
【００３２】
ステップＳ５０５において、表示する指示をうけたデバイスをすべて表示し終えた場合には、処理終了となる。表示していないデバイスがある場合には、ステップＳ５０１に移行し、処理が終了するまで、ステップＳ５０１からステップＳ５０５は繰り返し実行される。
【００３３】
ここで、データ保管部３０４で管理されているデバイスの情報について説明する。
【００３４】
図６は、デバイス情報が登録されているテーブルの一例である。
【００３５】
デバイスＩＤは、デバイスを識別する情報である。製品名は、デバイスが内部に情報として持つ、デバイスの種類ごとに固有の名称である。デバイス名は、ユーザーが編集可能なデバイスの名称である。ホスト名は、ネットワーク上でデバイスやコンピュータなどの機器を識別するためにつける名称である。
【００３６】
ＩＰアドレスは、デバイスが割り当てられているＩＰアドレスである。シリアルナンバーは、個々のデバイスが持つ固有の番号である。ＵＲＬは、デバイスのオンラインマニュアルや社内システムなどのＷｅｂサイト、共有フォルダへのパスなどのユーザーが編集可能なアクセス情報である。
【００３７】
＜実施例１におけるデバイス一覧表示画面の操作処理＞
図７は、本実施例におけるデバイス一覧表示画面の操作処理の一例を示すフローチャート図である。
【００３８】
画面制御部３０１がデバイス一覧画面を表示すると、ステップＳ７０１に移行する。
【００３９】
ステップＳ７０１において、画面制御部３０１はアイコンにマウスポインタを合わせる状態を待ち受ける。ステップＳ７０１において、アイコンにマウスポインタを合わせた場合、ステップＳ７０２に移行し、アイコンにマウスポインタが合わせられない場合、ステップＳ７０５に移行する。
【００４０】
ステップＳ７０２において、画面制御部３０１はツールチップを表示する。ステップＳ７０５において、画面制御部３０１がツールチップを表示していた場合、ステップＳ７０６に移行し、表示していない場合、ステップＳ７０１に移行する。
【００４１】
ステップＳ７０３において、アイコンをクリックした場合には、ステップＳ７０４に移行し、アイコンをクリックしていない場合は、ステップＳ７０１に移行する。
【００４２】
ステップＳ７０４において、画面制御部３０１はアイコンに設定されたリンク先へ画面遷移する。
【００４３】
以上の処理によって、デバイス一覧表示画面においてＵＲＬ情報をリンクとして含むアイコンを他のデバイス情報と並べて表示することによって、列の幅が広がらず、より効率的にデバイス一覧表示画面を参照することができる。
【実施例２】
【００４４】
実施例２は、管理装置の内部構成、システム全体の機能構成は実施例１と同様である。
【００４５】
実施例１では、デバイス一覧表示画面を表示する際に、デバイス情報としてＵＲＬ情報を含むデバイスに対してアイコンを表示していた。その場合、アイコンの種類は一律同じである。しかし、様々な条件に応じて表示するアイコンを変更することで、より効率的にデバイス一覧表示画面を参照することができる。そのため、デバイスの種類に応じてアイコンを変更してもよい。また、ＵＲＬスキーム（ｈｔｔｐ、ｆｔｐ、ｍａｉｌｔｏ、ｆｉｌｅ等）に応じてアイコンを変更してもよい。また、リンク先に画面遷移する際、ＨＴＴＰを用いて通信を行い、エラーメッセージ  Ｎｏｔ  Ｆｏｕｎｄ（ステータスコード４０４）が応答された場合、アイコンを変更してもよい。
【００４６】
＜実施例２におけるデバイス一覧表示動作処理＞
図８は、本実施例における本実施例におけるデバイス一覧表示動作処理の一例を示すフローチャート図である。
【００４７】
ステップＳ８０１〜Ｓ８０３は、実施例１におけるデバイス一覧表示動作処理の一例を示すフローチャート図と同様である。ステップＳ８０４において、データ保管部３０４で管理されているアイコン情報を参照する。
【００４８】
ここで、データ保管部３０４で管理されているアイコン情報について説明する。
【００４９】
図９は、アイコン情報が登録されているテーブルの一例である。
【００５０】
アイコンＩＤは、アイコンを識別する情報である。製品名は、デバイスが内部に情報として持つ、デバイスの種類ごとに固有の名称である。ＵＲＬスキームは、ＵＲＬ情報の先頭部分に含まれる文字列である。
【００５１】
ここで、フローチャートの説明に戻る。
【００５２】
ステップＳ８０５において、アイコン情報とデバイス情報を参照し、デバイス情報と共通する項目を持つアイコンが存在した場合、ステップＳ８０６に移行する。存在しない場合、ステップＳ８０８に移行する。
【００５３】
ステップＳ８０６において、画面制御部３０１は、デバイス情報と共通する項目を持つアイコンを表示し、ステップＳ８０７に移行する。
【００５４】
ステップＳ８０８において、画面制御部３０１は、デフォルトのアイコンを表示し、ステップＳ８０７に移行する。
【００５５】
ステップＳ８０７において、表示する指示をうけたデバイスをすべて表示し終えた場合には、処理終了となる。表示していないデバイスがある場合には、ステップＳ８０１に移行し、処理が終了するまで、ステップＳ８０１からステップＳ８０７は繰り返し実行される。
【実施例３】
【００５６】
実施例３は、管理装置の内部構成、システム全体の機能構成は実施例１と同様である。
【００５７】
実施例１では、デバイス一覧表示画面を操作する際に、アイコンをクリックすることでリンク先に画面遷移していた。その場合、クリックによる動作は一律同じである。しかし、リンク先の状態に応じてクリックによる動作を変更することで、より効率的にデバイス一覧表示画面を操作することができる。そのため、リンク先が存在しない場合、画面制御部３０２はデバイスのＵＲＬ設定画面に画面を遷移させてもよい。
【００５８】
＜実施例３におけるデバイス一覧表示画面の操作処理＞
図１０は、本実施例におけるデバイス一覧表示画面の操作処理の一例を示すフローチャート図である。
【００５９】
ステップＳ１００１〜Ｓ１００３、Ｓ１００８、Ｓ１００９は実施例１におけるデバイス一覧表示画面の操作処理の一例を示すフローチャート図と同様である。
【００６０】
ステップＳ１００４において、画面制御部３０１は、ＵＲＬ先のＷｅｂサーバへＨＴＴＰリクエストを送信し、ステップＳ１００５へ移行する。
【００６１】
ステップＳ１００５において、ＵＲＬ先からのレスポンスが４０４  Ｎｏｔ  Ｆｏｕｎｄであった場合、ステップＳ１００６に移行する。それ以外の場合、ステップＳ１００７に移行する。
【００６２】
ステップＳ１００６において、画面制御部３０１は、デバイスのＵＲＬ情報を設定する画面へ遷移する。ステップＳ１００７において、画面制御部３０１は、アイコンに設定されたリンク先へ画面遷移する。
【符号の説明】
【００６３】
１０１  管理装置、１０２  デバイス、１０３  通信回線
【図１】
2020187450.tif 000003
【図２】
2020187450.tif 000004
【図３】
2020187450.tif 000005
【図４】
2020187450.tif 000006
【図５】
2020187450.tif 000007
【図６】
2020187450.tif 000008
【図７】
2020187450.tif 000009
【図８】
2020187450.tif 000010
【図９】
2020187450.tif 000011
【図１０】
2020187450.tif 000012